(57)【要約】【課題】  加工を容易にし表面劣化を軽減すると共に、災害発生時に優れた特性を発揮することができる災害対策用標示板およびその製造方法を提供すること。【解決手段】  本発明の災害対策用標示板は、金属で形成された基材と、基材に形成された図柄とで構成される災害対策用標示板であって、前記基材の表面をエッチング加工により凹部を形成すると共に、かかる凹部に蓄光剤を塗布したことを特徴とする。  また、金属基板の表面にエッチング加工により凹凸部を形成する第一工程と、かかる凹部に蓄光剤を塗布し凸部に図柄を施す第二工程と、蓄光剤および文字や図柄の表面にガラス膜層を塗布する第三工程による製造方法。【選択図】      図１
2006104911.tif 000002
【特許請求の範囲】
【請求項１】
金属で形成された基材と、基材に施された文字や図柄とで構成される災害対策用標示板であって、前記基材の表面をエッチング加工により凹部を形成すると共に、かかる凹部に蓄光剤を塗布したことを特徴とする災害対策用標示板。
【請求項２】
前記蓄光剤は、凹部に静電粉体塗装されている請求項１記載の災害対策用標示板。
【請求項３】
前記蓄光剤および文字や図柄の表面にガラス膜層を塗布した請求項または２記載の災害対策用標示板。
【請求項４】
前記ガラス膜層は、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成し、５０〜６０度以下の温度でガラス化してなる膜層により形成したことを特徴とする請求項１乃至３のいずれか記載の災害対策用標示板。
【請求項５】
前記基材および蓄光剤との間に白色ペイントを介在させた請求項１乃至４のいずれか記載の災害対策用標示板。
【請求項６】
基板の表面にエッチング加工により凹凸部を形成する第一工程と、かかる凹部に蓄光剤を塗布し凸部に文字や図柄を施す第二工程と、蓄光剤および文字や図柄の表面にガラス膜層を塗布する第三工程からなる災害対策用標示板の製造方法。
【発明の詳細な説明】
【技術分野】
【０００１】  本発明は、非常口等や道路標識等に使用される標示板であって、特に、災害発生時に優れた特性を発揮することができる災害対策用標示板およびその製造方法に関する。
【背景技術】
【０００２】  従来、設備コストや消費電力を必要とせず、夜間においても表示されている内容を容易に確認することができる蓄標示板がある（例えば、特許文献１参照）。
上掲特許文献１には、金属製の基板と、該基板の表面に設けられた凹溝と、該凹溝内に設けられた蓄光剤とで構成されていることを特徴とする。
【特許文献１】特開２００２−３２８６３４号公報（第１−２頁、図１）
【発明の開示】
【発明が解決しようとする課題】
【０００３】  上掲特許文献１は、本出願人により出願されたものであり、蓄光部分が暗闇で自然発光することで、夜間や暗闇で表示されている内容を容易に認識できるという特徴を有するものであるが、加工面での効率性や表面の劣化防止を高めるまでには至らなかった。【０００４】  そこで本発明は上記の点に鑑み、加工を容易にし表面劣化を軽減すると共に、災害発生時に優れた特性を発揮することができる災害対策用標示板およびその製造方法を提供することにある。
【課題を解決するための手段】
【０００５】  上記課題を解決するために、本発明の災害対策用標示板は、金属で形成された基材と、基材に施された文字や図柄とで構成される災害対策用標示板であって、前記基材の表面をエッチング加工により凹部を形成すると共に、かかる凹部に蓄光剤を塗布したことを特徴とする。また、前記蓄光剤は凹部に静電粉体塗装されている。また、前記蓄光剤および文字や図柄の表面にガラス膜層を塗布した。また前記ガラス膜層は、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成し、５０〜６０度以下の温度でガラス化してなる膜層により形成したことを特徴とする。さらに、前記基材および蓄光剤との間に白色ペイントを介在させた。【０００６】  また、本発明の災害対策用標示板の製造方法は、基板の表面にエッチング加工により凹凸部を形成する第一工程と、かかる凹部に蓄光剤を塗布し凸部に文字や図柄を施す第二工程と、蓄光剤および文字や図柄の表面にガラス膜層を塗布する第三工程からなる。
【発明の効果】
【０００７】  金属で形成された基板の表面にエッチング加工により凹凸部を形成したことにより、基板全体の耐久性が高まると共に、複雑な凹凸加工を容易に行うことができる。また、凹部に蓄光剤を施したことで、凹部全体が暗闇で蛍光色を自然発光させることができる。また、基板自体が金属にて形成されているので、火災が発生した場合でも、従来の樹脂製の標示板のように溶けたり変形したりすることがない。そのため、災害が起きて停電した際でも、暗闇で非難する方向が明確に標示され、災害対策に多大な功績を付与することができる。【０００８】  また、前記蓄光剤は凹部に静電粉体塗装されていることにより、塗装の簡便化や材料コストを軽減できる。また、蓄光剤および文字や図柄の表面にガラス膜層を塗布したことで、表面に汚れが付着することを軽減すると共に、表面劣化を抑えることができる。【０００９】  さらに、前記基材および蓄光剤との間に白色ペイントを介在させたことで、蓄光剤の輝度をより一層高めることができる。
【発明を実施するための最良の手段】
【００１０】  以下、本発明における災害対策用標示板の詳細を図面に基づいて説明する。
図１は、本発明における災害対策用標示板１の拡大断面図であり、かかる災害対策用標示板１は、金属で形成された基材２と、基材２に形成された図柄１０とで構成されている。また特に、前記基材２の表面をエッチング加工により凹部３を形成すると共に、かかる凹部３に蓄光剤４を塗布したことを特徴とする。
【００１１】  前記基材２は金属、特に耐久性と加工面の容易さを考慮したアルミ素材で形成されている。また、前記基材２の表面はエッチング加工にて凹部３が形成されている。かかるエッチング加工は、通常の腐食加工を用いたエッチング加工と共に、低コストと複雑な加工が可能なサンドエッチング加工等が用いられる。
【００１２】  蓄光剤４は、光を蓄え自然発光が可能な素材、例えば、アルミン酸ストロンチューム系の蓄光剤が挙げられる。またその他、周知の金属化合物や希土類を複数混合させ、汎用の展色剤を混合して生成するものが使用される。
【００１３】  また特に、前記蓄光剤４はアクリル樹脂系粉体と蓄光剤と添加剤とを混合したものでもよい。かかる蓄光剤４は、通常の塗装方法により塗装される他、公知の静電粉体塗装により凹部３に塗装することが好ましい。かかる静電粉体塗装を用いることにより、塗装の簡便化や材料コストを軽減できる。
【００１４】  前記蓄光剤４は、日中の太陽光や照明器具からの光を蓄光し、図４に示すように、暗闇において凹部３全体から蛍光色を自然発光させることができる。そのため、地震や天災等の災害が発生し停電した場合でも、暗闇で非難する方向を明確に標示し、災害対策に多大な功績を付与することができる。
【００１５】  また、前記蓄光剤４および文字や図柄１０の表面にはガラス膜層５が塗布されている。前記ガラス膜層５は、単一あるいは多成分系の金属酸化物ガラス膜からなっている。また前記ガラス膜層５を形成するには、予め、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成しておく。そして、この反応生成物を蓄光剤４および図柄１０の表面に所定厚み分塗布し、５０〜６０度以下の温度でガラス化させることによりガラス膜を形成する。なお、この金属酸化物ガラスの形成方法は、特開平６−１９９５２８号公報（特許第２５３８５２７号）に記載された公知の技術である。
【００１６】  前記蓄光剤４および文字や図柄１０の表面にガラス膜層５を塗布することで、ガラス膜層５のコーティング作用により、表面に汚れが付着することを軽減すると共に、表面の劣化を抑えることができる。
【００１７】  他の好適例として、図２に示すように、前記基材２および蓄光剤３との間に白色ペイント６を介在させることが好ましい。白色ペイント６を介在させたことで、蓄光剤４の輝度をより一層高めることができる。なお、前記白色ペイント６は、蓄光剤４の輝度を高める白色系ものであれば、素材や種類は特に限定されたものではない。
【００１８】  次に、本発明における災害対策用標示板の製造方法を図３の（ａ）（ｂ）（ｃ）に基づいて説明する。
【００１９】  先ず、第一工程として、図３の（ａ）に示すように、アルミ素材からなる基板２の表面をサンドエッチング加工により掘り出して凹部３を形成する。なおこの際、掘り出された凹部３以外の個所は凸状に形成される。
【００２０】  第二工程として、（ｂ）に示すように、凹部３に蓄光剤４を塗布する。蓄光剤４を塗布する方法としては特に限定はないが、アクリル樹脂系粉体と蓄光剤と添加剤とを混合した蓄光粉体塗料を使用し、凹部３に静電気を帯電させた状態で、前記凹部３に蓄光粉体塗料を静電粉体塗装することが好ましい。また凸状に残された部分には文字や図柄１０が施される。
【００２１】  第三工程として、（ｃ）に示すように、前記蓄光剤３および文字や図柄１０の表面にガラス膜層５を塗布する。
【００２２】  なお、前記方法にて形成される災害対策用標示板１は、図４に示す非常口の標示板に限定されたものではなく、例えば道路標識や案内板、また各種看板等、夜間に災害が発生した際、暗闇でも居場所や避難方向を明確に認識できるものであれば、如何なる標示板にも利用できることは言うまでもない。
【図面の簡単な説明】
【００２３】
【図１】本発明の災害対策用標示板の拡大断面図である。
【図２】前記災害対策用標示板の他の好適例を示す拡大断面図である。
【図３】（ａ）（ｂ）（ｃ）は災害対策用標示板の製造方法を示す拡大断面図である。
【図４】本発明の災害対策用標示板の使用状態を示す正面図である。
【符号の説明】
【００２４】１    災害対策用標示板
２    基板
３    凹部
４    蓄光剤
５    ガラス膜層
６    白色ペイント
１０  文字や図柄
【図１】
2006104911.tif 000003
【図２】
2006104911.tif 000004
【図３】
2006104911.tif 000005
【図４】
2006104911.tif 000006